(57)【要約】【課題】簡単な構成で画像を読取る時の裏写りによる影響を低減して、読取り画像の読取り品位の向上を図ることができる原稿読取り装置を提供する。【解決手段】原稿Ｇを照明する露光ランプ４Ａと、露光ランプ４Ａからの照射光を反射して原稿Ｇの読取り部分に照射する第１の走査ユニット４と、原稿Ｇから反射した画像光を集光する光学系と、光学系により集光された画像光を読取る光電変換素子７とを有するスキャナ部３と、原稿Ｇの読取り位置を規制する原稿押え部材９０を備え、原稿Ｇを移動しながら画像を読取ることが可能な原稿読取り装置４０Ａにおいて、原稿Ｇを移動しながら画像を読取る時の照射光の原稿Ｇへの照射位置は、原稿Ｇが移動する方向に沿って第１の照射位置４０１と第２の照射位置４０２との２箇所に設定されていることを特徴とするものとする。【選択図】図３
2008060867.tif 000002
【特許請求の範囲】
【請求項１】
原稿を照明する光源と、前記光源からの照射光を反射して原稿の読取り部分に照射する反射手段と、前記光源により照明された原稿から反射した画像光を集光する光学系と、前記光学系により集光された画像光を読取る光電変換素子とを有する画像読取り手段と、原稿の読取り位置を規制する原稿押え部材を備え、原稿を移動しながら画像を読取ることが可能な原稿読取り装置において、
前記原稿を移動しながら画像を読取る時の前記光源からの照射光の前記原稿への照射位置は、原稿が移動する方向に沿って少なくとも２箇所に設定されていることを特徴とする原稿読取り装置。
【請求項２】
前記反射手段は、前記原稿を移動しながら画像を読取る時の前記光源からの照射光を原稿へ照射する位置が少なくとも２箇所に設定されていることを特徴とする請求項１に記載の原稿読取り装置。
【請求項３】
前記照射位置のうちの第１の照射位置には、画像が読取られる原稿を挟んで光源により照射される側の反対側に、有色の原稿押え部材を配置したことを特徴とする請求項１または２に記載の原稿読取り装置。
【請求項４】
前記照射位置のうちの第２の照射位置は、画像が読取られる原稿を挟んで光源により照射される側の反対側に、白色の原稿押え部材を配置したことを特徴とする請求項１乃至３のうちの何れか一項に記載の原稿読取り装置。
【請求項５】
前記照射位置は、前記原稿の種類に応じて選択されることを特徴とする請求項１乃至４のうちの何れか一項に記載の原稿読取り装置。
【請求項６】
前記照射位置は、前記原稿が薄紙原稿である時は、第１の照射位置とすることを特徴とする請求項３または４に記載の原稿読取り装置。
【請求項７】
前記照射位置は、前記原稿が厚紙原稿である時は、第２の照射位置とすることを特徴とする請求項４に記載の原稿読取り装置。
【請求項８】
前記照射位置は、前記光源からの照射光により前記原稿の裏面の情報が裏写りするか否かにより選択されることを特徴とする請求項１乃至４のうちの何れか一項に記載の原稿読取り装置。
【請求項９】
前記光源からの照射光により前記原稿の裏面の情報が裏写りすると判断された時は、前記画像読取り手段は、第１の照射位置で前記原稿を照射して画像情報を読取ることを特徴とする請求項８に記載の原稿読取り装置。
【請求項１０】
前記光源からの照射光により前記原稿の裏面の情報が裏写りしないと判断された時は、前記画像読取り手段は、第２の照射位置で前記原稿を照射して画像情報を読取ることを特徴とする請求項８または９に記載の原稿読取り装置。
【請求項１１】
前記照射位置は、前記原稿の表裏両面に画像情報が形成されているか否かで選択されることを特徴とする請求項１乃至４のうちの何れか一項に記載の原稿読取り装置。
【請求項１２】
前記照射位置は、前記原稿の表裏両面に画像情報が形成されている時は、前記光源からの照射光により前記原稿の裏面の情報が裏写りするか否かにより選択されることを特徴とする請求項１１に記載の原稿読取り装置。
【請求項１３】
前記照射位置は、前記原稿の表裏面のうちの何れか一方の面に画像情報が形成されている時は、第２の照射位置とすることを特徴とする請求項１１または１２に記載の原稿読取り装置。
【発明の詳細な説明】
【技術分野】
【０００１】
本発明は、原稿読取り装置に係り、特に、原稿を移動しながらスキャナにより画像を読取る原稿移動方式による原稿読取り装置に関する。
【背景技術】
【０００２】
従来、複写機やスキャナ装置、ファクシミリ装置等の画像形成装置において、原稿から画像を光学的に走査して読取る原稿読取り装置が搭載されている。
【０００３】
このような原稿読取り装置による画像を読取る手法は、従来技術として、原稿読取り装置を所定位置に固定して、画像を読取る位置に配置された透明のコンタクトガラス（プラテンガラス）に沿って原稿を移動しながらスキャナ（画像読取り手段）により画像を読取る方式（以下説明上、「原稿移動方式」と称する。）と、原稿載置台に固定された原稿に沿ってスキャナを移動しながら画像を読取る方式（以下説明上、「原稿固定方式」と称する。）に大別される。
【０００４】
原稿移動方式による原稿読取り装置は、複数の原稿を積載して一枚ずつ原稿を原稿読取り装置に自動供給して連続的に画像読取り処理を可能にした自動原稿搬送装置（ＡＤＦ）を搭載して、画像の読取りが終了した原稿を排紙トレイに自動排出することで、連続的に画像読取り処理を可能にして高速・大量処理に対応した画像形成装置に広く展開されている。
【０００５】
一方、原稿固定方式による原稿読取り装置は、高速処理では原稿移動方式には及ばないが、簡単な構造により安価で構成できるため一般に広く用いられている。
【０００６】
上述したような原稿読取り装置において、従来、画像情報が形成された原稿の照射面とは異なる裏面にも画像情報が形成されている時には、照射光が裏面の画像情報まで同時に読取ってしまうため、出力される画像の品位の低下を招来するという問題があった。
【０００７】
このような問題に対して、原稿固定方式による原稿読取り装置では、原稿読取り位置に原稿を１枚ずつ載置する時に、ユーザが原稿の厚みを認識できるため、“裏写り”するか否かの判別をして、“裏写り”が生じると思われたときには照射光量を調整して画像を読取るようにすることが可能である。
【０００８】
しかしながら、原稿移動方式による原稿読取り装置では、原稿を自動供給して連続的に画像読取り処理を行なう時は、原稿が順次１枚ずつ連続して搬送されるので、照射光量を原稿に応じて変化させることは困難であり“裏写り”が生じることがあった。
【０００９】
この原因として、原稿読取り部に配置される原稿押さえ板（シェーディング補正板を兼用している。）が照射面に対し白色で配置されている点が挙げられる。白色を配置する理由は、有色の時に原稿幅以外の部分が照射されると画像情報ありと判断され、印字処理部で不要なトナー消費が行われる恐れがある。
【００１０】
そこで、上記問題の対策として、従来では、原稿に形成された画像の濃度を表面側から読取った時の濃度と裏面側から読取った時の濃度を比較して画像補正を行い、“裏写り”の影響を軽減するようにしたものが提案されている（特許文献１，２を参照）
【特許文献１】特開平７−８７２９５号公報
【特許文献２】特開平９−２０５５４４号公報
【発明の開示】
【発明が解決しようとする課題】
【００１１】
しかしながら、上記従来技術では、読取られる画像情報によって画素の濃度や裏写り率が画像の状態によって異なるため複雑な画像補正処理が必要であり、さらに連続した高速処理における対応が難しいという問題があった。
【００１２】
本発明は、上記従来の問題点を鑑みてなされたものであって、簡単な構成で画像を読取る時の裏写りによる影響を低減して、読取り画像の読取り品位の向上を図ることができる原稿読取り装置を提供することを目的とする。
【課題を解決するための手段】
【００１３】
上述した課題を解決するための本発明に係る原稿読取り装置の構成は、次の通りである。
請求項１に記載した原稿読取り装置は、原稿を照明する光源と、前記光源からの照射光を反射して原稿の読取り部分に照射する反射手段と、前記光源により照明された原稿から反射した画像光を集光する光学系と、前記光学系により集光された画像光を読取る光電変換素子とを有する画像読取り手段と、原稿の読取り位置を規制する原稿押え部材を備え、原稿を移動しながら画像を読取ることが可能な原稿読取り装置において、前記原稿を移動しながら画像を読取る時の前記光源からの照射光の前記原稿への照射位置を、原稿が移動する方向に沿って少なくとも２箇所に設定したことを特徴とするものである。
尚、前記照射位置では、該原稿が移動する方向に対して原稿の表面に沿って略垂直方向に該原稿の幅方向両側端に渡り光源からの光が照射される。
【００１４】
請求項２に記載した原稿読取り装置は、請求項１に記載した構成に加えて、前記反射手段を、前記原稿を移動しながら画像を読取る時の前記光源からの照射光を原稿へ照射する位置を少なくとも２箇所に設定したことを特徴とするものである。
【００１５】
請求項３に記載した原稿読取り装置は、請求項１または２に記載した構成に加えて、前記照射位置のうちの第１の照射位置には、画像が読取られる原稿を挟んで光源により照射される側の反対側に、有色の原稿押え部材を配置したことを特徴とするものである。
本発明における有色の原稿押え部材は、暗い色が好ましく、特に黒色の原稿押え部材が好ましい。また、前記第１の照射位置は、いわゆる黒シェーディング補正位置とする。
【００１６】
請求項４に記載した原稿読取り装置は、請求項１乃至３のうちの何れか一項に記載した構成に加えて、前記照射位置のうちの第２の照射位置を、画像が読取られる原稿を挟んで光源により照射される側の反対側に、白色の原稿押え部材を配置したことを特徴とするものである。
前記第２の照射位置は、いわゆる白シェーディング補正位置とする。
【００１７】
請求項５に記載した原稿読取り装置は、請求項１乃至４のうちの何れか一項に記載した構成に加えて、前記照射位置を、前記原稿の種類に応じて選択するようしたことを特徴とするものである。
本発明における原稿の種類とは、原稿の地色、原稿に形成された画像情報の状態（画像情報が片面または両面の何れに形成されているかを含む）または原稿の厚さにより識別されるものを含むものとする。
【００１８】
請求項６に記載した原稿読取り装置は、請求項３または４に記載した構成に加えて、前記照射位置を、前記原稿が薄紙原稿である時は、第１の照射位置とすることを特徴とするものである。
【００１９】
請求項７に記載した原稿読取り装置は、請求項４に記載した構成に加えて、前記照射位置を、前記原稿が厚紙原稿である時は、第２の照射位置とすることを特徴とするものである。
【００２０】
請求項８に記載した原稿読取り装置は、請求項１乃至４のうちの何れか一項に記載した構成に加えて、前記照射位置を、前記光源からの照射光により前記原稿の裏面の情報が裏写りするか否かにより選択するようにしたことを特徴とするものである。
【００２１】
請求項９に記載した原稿読取り装置は、請求項８に記載した構成に加えて、前記光源からの照射光により前記原稿の裏面の情報が裏写りすると判断された時は、前記画像読取り手段が、第１の照射位置で前記原稿を照射して画像情報を読取ることを特徴とするものである。
【００２２】
請求項１０に記載した原稿読取り装置は、請求項８または９に記載した構成に加えて、前記光源からの照射光により前記原稿の裏面の情報が裏写りしないと判断された時は、前記画像読取り手段が、第２の照射位置で前記原稿を照射して画像情報を読取ることを特徴とするものである。
【００２３】
請求項１１に記載した原稿読取り装置は、請求項１乃至４のうちの何れか一項に記載した構成に加えて、前記照射位置を、前記原稿の表裏両面に画像情報が形成されているか否かで選択するようにしたことを特徴とするものである。
【００２４】
請求項１２に記載した原稿読取り装置は、請求項１１に記載した構成に加えて、前記照射位置を、前記原稿の表裏両面に画像情報が形成されている時は、前記光源からの照射光により前記原稿の裏面の情報が裏写りするか否かにより選択するようにしたことを特徴とするものである。
【００２５】
請求項１３に記載した原稿読取り装置は、請求項１１または１２に記載した構成に加えて、前記照射位置を、前記原稿の表裏面のうちの何れか一方の面に画像情報が形成されている時は、第２の照射位置とすることを特徴とするものである。
【発明の効果】
【００２６】
請求項１に記載した発明によれば、原稿を照明する光源と、前記光源からの照射光を反射して原稿の読取り部分に照射する反射手段と、前記光源により照明された原稿から反射した画像光を集光する光学系と、前記光学系により集光された画像光を読取る光電変換素子とを有する画像読取り手段と、原稿の読取り位置を規制する原稿押え部材を備え、原稿を移動しながら画像を読取ることが可能な原稿読取り装置において、前記原稿を移動しながら画像を読取る時の前記光源からの照射光の前記原稿への照射位置を、原稿が移動する方向に沿って少なくとも２箇所に設定し、例えば、裏写りし易い原稿と裏写りし難い原稿とにより照射位置を変えて画像を読取るようにすることで、複雑な画像補正等を行なうことなく、簡単な構成で、裏写りによる影響を低減して読取り画像の読取り品位の向上を図ることができる。
【００２７】
また、請求項２〜１３に記載の発明によれば、請求項１に記載の発明で得られる上記共通の効果に加え、次の効果を得ることができる。
【００２８】
すなわち、請求項２に記載した発明によれば、請求項１に記載の発明で得られる効果に加えて、前記反射手段を、前記原稿を移動しながら画像を読取る時の前記光源からの照射光を原稿へ照射する位置を少なくとも２箇所に設定したことで、容易に光源からの照射光の原稿への照射位置を設定することができる。
【００２９】
請求項３に記載した発明によれば、請求項１または２に記載の発明で得られる効果に加えて、前記照射位置のうちの第１の照射位置に、画像が読取られる原稿を挟んで光源により照射される側の反対側に、有色の原稿押え部材を配置し、いわゆる黒シェーディング補正位置とすることで、裏写りの影響が出やすい原稿の画像を読取る場合に、裏写りによる影響を低減して読取り画像の読取り品位の向上を図ることができる。
【００３０】
請求項４に記載した発明によれば、請求項１乃至３のうちの何れか一項に記載の発明で得られる効果に加えて、前記照射位置のうちの第２の照射位置を、画像が読取られる原稿を挟んで光源により照射される側の反対側に、白色の原稿押え部材を配置し、いわゆる白シェーディング補正位置とすることで、裏写りの影響が少ない原稿を読取る場合に、読取り画像の読取り品位の向上を図ることができる。
【００３１】
請求項５に記載した発明によれば、請求項１乃至４のうちの何れか一項に記載の発明で得られる効果に加えて、前記照射位置を、前記原稿の種類に応じて選択するようしたことで、例えば、原稿の地色の違い、画像情報が片面または両面の何れに形成されている原稿の違い、または原稿の厚さの違い等に応じて、光源からの照射光によって得られる最適な画像光（読取り画像）を得ることができる。
【００３２】
請求項６に記載した発明によれば、請求項３または４に記載の発明で得られる効果に加えて、前記照射位置を、前記原稿が薄紙原稿である時は、第１の照射位置とすることで、裏写りの影響が出やすい原稿の画像を読取る場合に、黒シェーディング補正により裏写りによる影響を低減して読取り画像の読取り品位の向上を図ることができる。
【００３３】
請求項７に記載した発明によれば、請求項４に記載の発明で得られる効果に加えて、前記照射位置を、前記原稿が厚紙原稿である時は、第２の照射位置とすることで、裏写りの影響が少ない原稿を読取る場合に、白シェーディング補正により裏写りによる影響を低減して読取り画像の読取り品位の向上を図ることができる。
【００３４】
請求項８に記載した発明によれば、請求項１乃至４のうちの何れか一項に記載の発明で得られる効果に加えて、前記照射位置を、前記光源からの照射光により前記原稿の裏面の情報が裏写りするか否かにより選択するようにしたで、原稿の画像形成状態に応じて裏写りによる影響を低減して読取り画像の読取り品位の向上を図ることができる。
【００３５】
請求項９に記載した発明によれば、請求項８に記載の発明で得られる効果に加えて、前記光源からの照射光により前記原稿の裏面の情報が裏写りすると判断された時は、前記画像読取り手段が、第１の照射位置で前記原稿を照射して画像情報を読取ることで、黒シェーディング補正により裏写りによる影響を低減して読取り画像の読取り品位の向上を図ることができる。
【００３６】
請求項１０に記載した発明によれば、請求項８または９に記載の発明で得られる効果に加えて、前記光源からの照射光により前記原稿の裏面の情報が裏写りしないと判断された時は、前記画像読取り手段が、第２の照射位置で前記原稿を照射して画像情報を読取ることで、裏写りの影響が少ない原稿を読取る場合に、白シェーディング補正により裏写りによる影響を低減して読取り画像の読取り品位の向上を図ることができる。
【００３７】
請求項１１に記載した発明によれば、請求項１乃至４のうちの何れか一項に記載の発明で得られる効果に加えて、前記照射位置を、前記原稿の表裏両面に画像情報が形成されているか否かで選択するようにしたことで、原稿の画像形成状況に応じて、光源からの照射光によって得られる最適な画像光（読取り画像）を得ることができる。
【００３８】
請求項１２に記載した発明によれば、請求項１１に記載の発明で得られる効果に加えて、前記照射位置を、前記原稿の表裏両面に画像情報が形成されている時は、前記光源からの照射光により前記原稿の裏面の情報が裏写りするか否かにより選択するようにしたことで、原稿の画像形成状態に応じて裏写りによる影響を低減して読取り画像の読取り品位の向上を図ることができる。
【００３９】
請求項１３に記載した発明によれば、請求項１１または１２に記載の発明で得られる効果に加えて、前記照射位置を、前記原稿の表裏面のうちの何れか一方の面に画像情報が形成されている時は、第２の照射位置とすることで、裏写りの影響が少ない原稿を読取る場合に、白シェーディング補正により裏写りによる影響を低減して読取り画像の読取り品位の向上を図ることができる。
【発明を実施するための最良の形態】
【００４０】
以下、本発明の実施の形態について図面を参照して詳細に説明する。
図１，２は本発明を実施する形態の一例であって、図１は本発明の一実施形態に係る原稿読み取り装置が採用された画像形成装置の全体の構成を示す斜視図、図２は前記画像形成装置の内部の構成を示す側面断面図である。
【００４１】
本実施形態は、記録媒体となる所定のシート状の記録用紙（以下、用紙と称する。）を搬送する記録媒体搬送手段と、該原稿読取り装置４０Ａによって読取られた原稿Ｇの画像情報に基づき電子写真方式によりトナー（現像剤）を用いて顕像化されたトナー像（現像剤像）を搬送された記録媒体上に形成する画像形成手段と、前記記録媒体に形成された未定着の現像剤像を該記録媒体上に溶融、固着する定着装置（定着手段）と、現像剤像定着処理後の記録媒体が排出される記録媒体排出部としての排紙トレイと、を備えた画像形成装置１において、本発明に係る原稿Ｇの画像情報を読取る原稿読取り装置４０Ａを搭載したものである。
【００４２】
画像形成装置１は、図１，図２に示すように、装置本体１ａの上部側の前面部には、使用者が用紙Ｐの用紙種類（用紙寸法のほか、用紙の厚み等）、印刷枚数、倍率、濃度等の画像形成条件を設定する操作スイッチ類７６が配設され、装置本体１ａの上面部には、原稿Ｇが載置される透明ガラスからなる原稿載置台２が設けられている。
【００４３】
原稿載置台２上には、原稿移動方式による両面原稿自動読取装置（Ｒ−ＳＰＦ）からなる原稿押え部（原稿押えカバー）５１ａを一体とした自動原稿処理装置４０が開閉自在に搭載され、一方、この原稿載置台２の下方には、原稿Ｇの画像情報を読取るスキャナ部（画像読取り手段）３が配置されている。
【００４４】
これら原稿載置台２、スキャナ部３及び自動原稿処理装置４０等により原稿読取り装置４０Ａが構成されている。
【００４５】
スキャナ部３の下方には、画像形成部１０、定着装置３０及び排紙部２２が構成され、さらに、その下方には、記録媒体たる用紙Ｐが収容された給紙カセット２３が配設されている。
【００４６】
スキャナ部３は、図２に示すように、原稿載置台２の下方に配置されて平行に往復移動する第１の走査ユニット（反射手段）４及び第２の走査ユニット（反射手段）５と、光学レンズ体６と、光電変換素子（ＣＣＤ）７を備えた原稿画像読取りユニットにて構成されている。図２において、スキャナ部３の光路は一点鎖線で示している。
【００４７】
第１の走査ユニット４は、露光ランプ４Ａと、この露光ランプ４Ａからの光を原稿画像表面に露光させるリフレクタ４Ｂと、このリフレクタ４Ｂを介して露光され反射される原稿からの反射光像を所定の方向に向かって導くための第１のミラー４Ｃとを有し、原稿載置台２の下面に対して一定の距離を保ちながら所定の走査速度で平行に往復移動が可能に制御されるようになっている。
【００４８】
第２の走査ユニット５は、第１の走査ユニット４の第１のミラー４Ｃにより導かれた原稿からの反射光像を、更に所定の方向に向かって導くための第２のミラー５Ａ及び第３のミラー５Ｂを有し、第１の走査ユニット４と一定の速度関係を保って平行に往復移動が可能に制御されるようになっている。
【００４９】
光学レンズ体６は、第２の走査ユニット５の第３のミラー５Ｂにより導かれた原稿画像の反射光の光路上に配置され、その光像を光電変換素子７に結像させるものである。
【００５０】
光電変換素子（例えばＣＣＤ（電荷結合素子））７は、光学レンズ体６により結像された原稿画像の光像を読取って電気信号に光電変換することによって原稿画像情報（原稿画像データ）を作成するものであり、その原稿画像情報を後述する画像処理部５７（図４を参照）に向けて出力する。
【００５１】
画像処理部５７は、光電変換素子７が出力した原稿画像情報を、解像度や濃度等が印字に適した印字用画像情報（印字用画像データ）に画像処理するものである。画像処理後の印字用画像情報は、レーザスキャニングユニット（ＬＳＵ）８の画像データ入力部へと転送されるようになっている。
【００５２】
レーザスキャニングユニット８は、画像処理部５７から出力された印字用画像情報に応じたレーザ光を、画像形成部（画像形成プロセス）１０を構成する感光体ドラム１１の表面に照射する。これにより、感光体ドラム１１に印字用画像情報の静電潜像が書込み形成されるようになっている。
【００５３】
画像形成部１０は、図２に示すように、主に、矢印方向に回転駆動する感光体ドラム１１と、この感光体ドラム１１の表面を所定の電位に帯電させる主帯電器１２と、感光体ドラム１１表面に静電潜像の形成用のレーザ光を照射するレーザスキャニングユニット８と、そのレーザスキャニングユニット８からのレーザ光の照射によった静電潜像をトナーにより現像して顕像化する現像装置１３と、この現像装置１３にて顕像化された原稿画像のトナー像を後述する給紙カセット２３から給紙搬送路２５を介して給紙される用紙（「記録媒体」に相当：「転写紙」とも称する）Ｐ上に転写する転写ローラ１４及びこの転写ローラ１４による転写後の感光体ドラム１１上に残留する残留トナーをクリーニングするクリーニング装置１５とが、該感光体ドラム１１の回転方向に沿って順に配置されて構成されている。
【００５４】
画像形成部１０の主帯電器１２は、クリーニング装置１５によるクリーニング後の感光体ドラム１１表面の電荷を除電する図示しない除電装置の機能を有している。
【００５５】
定着装置３０は、図２に示すように、加熱ローラ３１と加圧ローラ３２とを備え、この加熱ローラ３１と加圧ローラ３２とにより用紙Ｐを挟持した状態で加熱ローラ３１を回転させて、加熱ローラ３１と加圧ローラ３２との間を通過させることにより、用紙Ｐ上に転写されたトナー像を溶融して用紙Ｐに定着するものである。
【００５６】
画像形成装置１の用紙搬送路は、図２に示すように、主に、装置下部に設けられた給紙カセット２３から上方に向かい画像形成部１０に用紙Ｐを搬送する給紙搬送路２５と、画像形成部１０から定着装置３０を通って排紙搬送ローラ（搬送ローラ）１８に向かい用紙Ｐを搬送する主搬送路１６と、排紙搬送ローラ１８から排紙ローラ１９に向かい用紙Ｐを搬送する排紙搬送路（記録媒体搬送経路）１７と、排紙ローラ１９の逆転駆動と反転ローラ２９により用紙Ｐをスイッチバックさせて用紙反転させる副搬送路２８とで構成されている。
【００５７】
給紙搬送路２５は、用紙搬送方向で用紙ピックアップローラ２４の用紙搬送方向下流側に、用紙がダブルフィードされた場合に１枚ずつさばくためのサバキローラ（図示省略）が設けられ、画像形成部１０の感光体ドラム１１の下側（用紙搬送方向上流側）に近接して設けられたレジストローラ２６まで緩やかに湾曲して略直線的に設けられている。
【００５８】
主搬送路１６は、レジストローラ２６の下流側から画像形成部１０を通って定着装置３０まで略直線的に形成され、定着装置３０の出口側（用紙搬送方向下流側）から略上方に向かい排紙搬送ローラ１８（図中左方向）に向かって湾曲して形成されている。
【００５９】
排紙搬送路１７は、排紙搬送ローラ１８と排紙ローラ１９との間に略直線的に設けられている。
【００６０】
副搬送路２８は、排紙ローラ１９の逆転駆動により用紙Ｐをスイッチバックさせて用紙反転させて搬送するために、主搬送路１６の上部（用紙搬送方向上流側）と連通して、用紙切換えゲート２７の切換えにより用紙Ｐを反転ローラ２９によって装置の下方に搬送して再びレジストローラ２６に搬送するように構成されている。
【００６１】
具体的には、副搬送路２８は、排紙搬送路１７から逆方向に搬送された用紙Ｐを装置下方に方向を変えるために、装置上方側から装置下方側に向かい、且つ装置下方側からレジストローラ２６側に向かい湾曲して形成されている。
【００６２】
感光体ドラム１１と転写ローラ１４との間に挟持されてトナー像が転写された後の用紙Ｐは、感光体ドラム１１上から剥離されて該感光体ドラム１１と定着装置３０とを連絡する主搬送路１６を経由して、該定着装置３０の加熱ローラ３１と加圧ローラ３２との間に突入する。加熱ローラ３１と加圧ローラ３２との当接部には所定の押圧力によってニップ部が形成されている。
【００６３】
定着装置３０において、この加熱ローラ３１と加圧ローラ３２との間、つまりニップ部に挟持された用紙Ｐは、加熱ローラ３１による加熱と加圧ローラ３２による加圧によって当該用紙Ｐに前記感光体ドラム１１から転写された未定着トナー像の定着が行われるようになっている。
【００６４】
定着装置３０による定着後の用紙Ｐは、排紙搬送路１７に搬送されて排紙搬送ローラ１８にて排紙口２０側の排紙ローラ１９に向け搬送されるようになっている。
【００６５】
排紙搬送路１７に搬送される用紙Ｐは、定着装置３０の下流側に設けた、加熱ローラ３１と加圧ローラ３２との間を用紙Ｐが通過する状態を定着検知スイッチ２１Ａにて検知される。
【００６６】
通常の片面印字の場合には、そのまま排紙搬送ローラ１８及び排紙ローラ１９の回転駆動により、排紙口２０からスキャナ部３の下部空間に設置した排紙トレイ２２ａ上に排紙されるもので、この排紙ローラ１９の用紙Ｐの通過状態は、排紙ローラ１９の上流側に設けた排紙検知スイッチ２１Ｂにて検知されるようになっている。
【００６７】
用紙Ｐは、画像形成部１０の横方向に排紙され、給紙カセット２３の上方で且つスキャナ部３の下方の排紙部２２に排出される。
【００６８】
排紙部２２は、主に、排紙搬送路１７、排紙搬送ローラ１８、排紙ローラ１９、排紙口２０及び排紙トレイ２２ａより構成されている。
【００６９】
排紙口２０の外側（排紙トレイ２２ａ側）には、満杯検知センサとも称される用紙積載量検出センサ２１Ｄが設けられている。
用紙積載量検出センサ２１Ｄは、主に、排出されて積載された用紙が当接した時に動作する検出体２１Ｄ１と、検出体２１Ｄ１の動作に応じて信号を出力するセンサ本体２１Ｄ２とにより構成されている。
【００７０】
検出体２１Ｄ１は、棒状を呈し、一端部がセンサ本体２１Ｄ２側に係合され、その一端部を支点として他端部側が揺動可能に設けられ、装置側（排紙口２０側）より外側に向かい且つ斜め下方に傾倒して配置されている。
【００７１】
そして、用紙積載量検出センサ２１Ｄは、排出された用紙が積載されて所定量（高さ）に達した時に、検出体２１Ｄ１の他端部が上方に押し上げられることでセンサ本体２１Ｄ２より検出信号を出力するようになっている。
【００７２】
装置本体１ａの内底部側には、用紙Ｐが所定の用紙サイズ毎に積載収容された交換可能な給紙カセット２３が配置される。この給紙カセット２３の排紙側上部には、半月状の用紙ピックアップローラ２４が配置されている。
【００７３】
用紙ピックアップローラ２４は、給紙カセット２３内に積載収容された用紙Ｐを最上層から１枚ずつピックアップし、下流側に向かって（便宜上の用紙Ｐの流れ出し側（カセット側）を上流、排紙側を下流とする）給紙搬送路２５のレジストローラ（「アイドルローラ」とも称する。）２６まで搬送させるようになっている。
図中の符号Ｐａは用紙Ｐの前端部、Ｐｂは用紙Ｐの後端部を示す。
【００７４】
レジストローラ２６の上流側には、レジスト前検知スイッチ２１Ｃが設けられており、このレジスト前検知スイッチ２１Ｃは給紙カセット２３から給紙搬送される用紙Ｐを検知する。その信号を基に給紙タイミングを図りながら、上述した画像形成部１０に給紙するようになっている。
【００７５】
尚、両面印字を行う場合には、画像形成部１０による用紙Ｐの片面印字後、排紙搬送路１７に搬送された定着装置３０からの通過後の用紙Ｐを、一旦、排紙ローラ１９側に搬送し、この状態で、定着装置３０付近に配置された用紙切換えゲート２７を切換え制御して、排紙ローラ１９の逆転駆動により用紙Ｐをスイッチバックさせて用紙反転させる副搬送路２８に導入し、この副搬送路２８に設けた副駆動ローラ（反転ローラ）２９の回転駆動により、再びレジストローラ２６の上流側に用紙Ｐを搬送することにより、用紙Ｐの他面印字を行うようになっている。
【００７６】
次に、本実施形態に係る特徴的な原稿読取り装置４０Ａについて図面を参照して説明する。
図３は本実施形態に係る原稿読取り装置において第１の走査ユニットにより原稿に光を照射する照射位置を示す説明図である。
【００７７】
原稿読取り装置４０Ａは、従来機と同様な操作で一枚ごとの原稿読取処理を行うことが可能であり、自動原稿処理装置４０を搭載することで、原稿Ｇの両面読取が可能となるとともに、複数枚の原稿Ｇの自動連続読取処理が可能となっている。
【００７８】
自動原稿処理装置４０は、図２に示すように、原稿Ｇが載置される原稿トレイ４１を有し、連続的に複数の原稿Ｇの読取処理を行う場合、この原稿トレイ４１上に載置された原稿Ｇを原稿ピックアップローラ４２にてピックアップして、原稿駆動ローラ４３を介して原稿Ｇを原稿搬送路４４に導入してレジストローラ（ＰＳローラ）４５の上流側に案内搬送されるようになっている。
【００７９】
このレジストローラ４５の上流側には、原稿Ｇの原稿サイズが検出可能にするため原稿入紙センサ４６が設けられ、この原稿入紙センサ４６にて原稿Ｇの先端及び後端を検知し、その信号を基に搬送タイミングを図りながら、原稿Ｇを原稿載置台２の片側に隣接させて配置したスリットガラスからなる原稿読取り台９上に向け搬送制御するようになっている。この場合、スキャナ部３の第１の走査ユニット４は、原稿読取り台９の下方に待機し位置するように移動制御されている。
【００８０】
第１の走査ユニット４は、図３に示すように、原稿読み取り台９の下方において、該原稿読取り台９の原稿Ｇが搬送される面に沿ってかつ原稿搬送方向に沿った方向で略平行に第１の照射位置４０１と第２の照射位置４０２との２位置に選択的に配置されるようになっている。
【００８１】
原稿読取り台９の上方、すなわち原稿Ｇを挟んで第１の走査ユニット４の反対側には、図３に示すように、原稿読取り台９と所定の間隙をとって原稿押え部材９０が配置されている。原稿押え部材９０は、原稿読取り台９とともに原稿Ｇを挟んで該原稿Ｇの搬送をガイドするとともに、原稿Ｇの搬送位置を定めて原稿Ｇと第１の走査ユニット４との距離を規定するようになっている。
【００８２】
この原稿押え部材９０は、第１の照射位置４０１において原稿Ｇが第１の走査ユニット４に照射される部分には、黒色の第１の原稿読取り部９１が形成され、一方、第２の照射位置４０２において原稿Ｇが第１の走査ユニット４に照射される部分には、白色の第２の原稿読取り部９２が形成されている。
【００８３】
原稿押え部材９０，第１の原稿読取り部９１及び第２の原稿読取り部９２は、原稿Ｇの搬送方向に対して略垂直方向に延設され、少なくとも搬送される原稿Ｇの幅よりも幅広に形成されている。
【００８４】
この原稿読取り台９上に搬送される原稿Ｇは、その移動と共に片面側の第１画像読取り面Ｇ１がスキャナ部３の第１の走査ユニット４にて走査される。その他の光電変換素子７での読取り、画像情報の画像処理、印字などの画像形成処理は上述と同様である。
【００８５】
本実施形態では、第１の走査ユニット４が、図３の範囲９０１に示すように、第１の照射位置４０１において、黒色の第１の原稿読取り部９１に対向する原稿Ｇに照射する時には黒のシェーディング補正を行ない、範囲９０２に示すように、第２の照射位置４０２において、白色の第２の原稿読取り部９２に対向する原稿Ｇに照射する時には白のシェーディング補正を行なうようにされている。
【００８６】
第１の走査ユニット４による原稿Ｇへの照射位置は、原稿Ｇの種類に応じて第１の照射位置４０１または第２の照射位置４０２が選択されるようになっている。
本実施形態では、原稿Ｇが薄紙原稿である時は、第１の照射位置４０１で第１の原稿読取り部９１において照射されて、原稿Ｇが厚紙原稿である時は、第２の照射位置４０２で第２の原稿読取り部９２において照射されるようになっている。
【００８７】
尚、第１の走査ユニット４による原稿Ｇへの照射位置の選択は、露光ランプ（光源）４Ａからの照射光により原稿Ｇの裏面の画像情報が裏写りするか否かにより選択するようにしたものであっても良い。
【００８８】
変形例として、例えば、原稿Ｇが薄紙原稿である時は、裏写りすると判断して第１の照射位置４０１において原稿Ｇを照射して画像情報を読取り、原稿Ｇが厚紙原稿である時は、裏写りしないと判断して第２の照射位置において原稿Ｇを照射して画像情報を読取るようにしたものであっても良い。
【００８９】
また、その他の例として、第１の走査ユニット４による原稿Ｇへの照射位置の選択は、前記原稿の表裏両面に画像情報が形成されているか否かで、第１の照射位置４０１または第２の照射位置４０２を選択するようにしたものであっても良い。
【００９０】
この場合は、原稿Ｇの表裏面のうちの何れか一方の面に画像情報が形成されている時は、第２の照射位置とし、原稿Ｇの表裏両面に画像情報が形成されている場合は、第１の照射位置とする。
【００９１】
そして、原稿読取り台９上での画像読取り後の原稿Ｇは、搬送ローラ４７を介して原稿排紙路４８の原稿排紙ローラ４９側に搬送され、片面読取りのみ場合は、原稿切換えゲート５０の切換え制御により原稿排紙トレイ５１上に排紙されるようになっている。
【００９２】
尚、両面原稿読取りを行う場合は、原稿Ｇを原稿切換えゲート５０の切換え制御により、一旦、原稿トレイ４１と原稿排紙トレイ５１との間に配置された中間トレイ５２上に向け排紙した後、原稿排紙ローラ４９を逆転駆動させてスイッチバックさせることにより、原稿反転路５３に導入し、再び、原稿搬送路４４に原稿Ｇを搬送することにより、原稿Ｇの裏側の画像読取り面Ｇ２の原稿画像の読取りが行われるとともに、上述した片面印字工程と同様に、用紙Ｐの第１印字面Ｐ１に原稿Ｇの裏面側の原稿画像が印字されるようになっている。
【００９３】
この用紙Ｐの第１印字面Ｐ１への印字工程が終了すると、用紙Ｐは、上述した用紙反転機構にて反転され、再び、画像形成部１０に搬送されて、その第２印字面（印字面の裏面）Ｐ２に、予めメモリに記憶された原稿Ｇの表面側の原稿画像が印字される。
【００９４】
次に、実施形態に係る画像形成装置１の制御系について、図４に基づき説明する。
図４は本実施形態に係る画像形成装置の電気制御部の構成を示すブロック図である。
実施形態に係る画像形成装置１は、図４に示すように、画像の読取り処理、画像処理、画像形成処理、および用紙Ｐの搬送処理等をＲＯＭ（Read Only Memory）５５に予め記憶されたプログラムにしたがって中央処理ユニット（ＣＰＵ）５４がＲＡＭ（Random access Memory）５６等の一時的記憶手段を用いて処理を実行する。尚、ＲＯＭ５５やＲＡＭ５６に代えてＨＤＤ（ハードディスクドライブ）などの記憶手段を用いることができる。
【００９５】
画像形成装置１において、スキャナ部（原稿読み取り部）３によって読取った原稿の画像情報（原稿画像データ）、または、図示しない通信ネットワークに繋がれた各端末装置から送信された原稿画像情報は、通信処理部５８を介して画像処理部５７に入力されるようになっている。
【００９６】
画像処理部５７は、ＲＡＭ５６等の記憶部に記憶された原稿画像情報を印字（用紙への画像形成）に適した印字用画像に上記のプログラムによって処理するものである。
【００９７】
印字用画像情報は画像形成部１０に入力される。
画像形成部１０、用紙搬送部（給紙搬送路２５、主搬送路１６、副搬送路２８、（これらはペーパーガイドとも称する。）において用紙Ｐの各種検出・制御を行う。）５９、定着装置３０、排紙処理部（排紙搬送路１７において用紙Ｐの各種の検出・制御を行う。）６０は、各々の駆動制御部６２と連動している。
【００９８】
用紙搬送部５９によって搬送する用紙Ｐ上に印字工程（画像形成部１０においての画像情報の印字処理）と、その後に、その印字処理された用紙Ｐに対する定着工程（定着装置３０）を経て用紙排出部（排紙トレイ２２ａ）に排出されるようになっている。
尚、用紙搬送部５９には、定着検知スイッチ２１Ａ、排紙検知スイッチ２１Ｂ、レジスト前検知スイッチ２１Ｃ等からの検出信号が入力されるようになっている。
【００９９】
画像形成装置１は、運転条件設定部７７が設けられる。この運転条件設定部７７は、操作スイッチ類７６によって使用者が設定して画像形成要求または記録媒体の種類等の画像形成条件にしたがって、画像形成装置１の画像形成、または搬送条件等の運転条件を設定するものである。
【０１００】
運転条件設定部７７には、オプション構成７４として設けられる自動原稿処理装置（自動原稿読取り装置）４０により搬送される原稿Ｇの厚さを設定する機能、例えば、原稿Ｇが厚紙原稿か薄紙原稿であるかを指定する原稿選択スイッチが備えられている。
【０１０１】
また、画像形成装置１は、設定された前記運転条件にしたがって、前記読み取り部（スキャナ部３）、用紙搬送部５９、画像形成部１０、定着装置３０および排紙処理部６０などの駆動用アクチュエータである原稿読取り駆動部６４、用紙搬送駆動部６６、印字処理駆動部６８、定着駆動部７０および排紙駆動部７２を、ＲＯＭ５５に記憶されたプログラムに基づく、ＣＰＵ５４の指令にしたがった同期した動作を駆動制御部６２の制御によって行うようになっているものである。
【０１０２】
本実施形態では、ＣＰＵ５４は、上述した機能の他にオプション構成７４として設けられる自動原稿処理装置４０により搬送される原稿Ｇの厚さを判定する原稿厚さ判定機能９３を備え、運転条件設定部７７において選択された原稿Ｇの種類によって原稿Ｇの厚さを判定して、原稿Ｇの厚さに応じて第１の走査ユニット４による原稿Ｇへの照射位置を設定するようになっている。
【０１０３】
尚、本実施形態では、原稿厚さ判定機能９３による判定は、運転条件設定部７７に設けられた原稿選択スイッチの出力信号によって原稿Ｇの厚さを判定しているが、例えば、原稿搬送路上に原稿Ｇの厚さを検出するセンサ等を設けて、そのセンサからの出力信号によって原稿Ｇの厚さを判定するようにしたものであっても良い。
【０１０４】
排紙処理部６０は、印字された用紙を排紙トレイに排出する排紙処理を行うための制御を行うものであり、用紙積載量検出センサ２１Ｄから出力された信号に基づき排紙処理を行うものである。
【０１０５】
原稿読取り駆動部６４は、スキャナ部３の第１走査ユニット４、第２走査ユニット５の駆動用アクチュエータである。
用紙搬送駆動部６６は、用紙搬送部５９、具体的には、上述の給紙搬送路２５上の用紙ピックアップローラ２４、レジストローラ２６の駆動用モータである。
印字処理駆動部６８は、感光体ドラム１１の駆動用モータである。
定着駆動部７０は、定着装置３０の加熱ローラ３１および加圧ローラ３２の駆動用モータである。
【０１０６】
排紙駆動部７２は、排紙搬送ローラ１８、排紙ローラ１９などを駆動する駆動用モータ１８ｃである。
これらの各駆動部の駆動用モータは、それぞれ同じまたは異なるモータを駆動源として適宜に動力伝達機構を介して構成できる。
【０１０７】
また、画像形成装置１には、オプション構成７４として、自動原稿処理装置（自動原稿読取り装置）４０等が配置可能であり、それらオプション構成７４は上記画像形成装置１の制御部とは別に各々のオプション構成７４内に制御部７４ａを持ちながら、前記通信処理部５８を介して装置とのタイミング調整を同期するように構成されている。
【０１０８】
本実施形態では、制御部７４ａは、自動原稿処理装置４０により搬送される原稿Ｇの厚さに応じて第１の走査ユニット４による原稿Ｇへの照射位置、すなわち、第１の照射位置４０１または第２の照射位置４０２を選択して、第１の走査ユニット４を移動するように制御する機能を備えている。
【０１０９】
記録媒体検出手段７８は、定着装置３０または搬出部に記録媒体の先端が到達することを検出するものである。
【０１１０】
記録媒体検出手段７８は、実施形態では、定着装置３０および排紙搬送ローラ１８のそれぞれに用紙Ｐが到達する（突入する）タイミングを、後述する搬送タイミング検出手段７９ｂによって検出した記録媒体の搬送タイミングに基づいて検出するようにしている。
【０１１１】
具体的には、記録媒体検出手段７８は、給紙搬送路２５入り口において用紙Ｐを導入するレジストローラ２６から用紙Ｐが送り出された後の用紙Ｐの搬送時間を計測する搬送時間計測手段７９ａと、このレジストローラ２６から制御対象の定着装置３０および排紙搬送ローラ１８のそれぞれまでの距離と用紙Ｐの搬送速度に基づき、主搬送路１６および排紙搬送路１７における用紙Ｐの搬送タイミングを検出する搬送タイミング検出手段７９ｂとを有している。
【０１１２】
また、画像形成装置１は、定着装置３０における加熱ローラ３１による定着温度を温度制御部８０により運転状況に応じて制御するようになっている。
温度制御部８０は、加熱ローラ３１に設けられた非接触型サーミスター３５ａおよび接触型サーミスター３５ｂにより検出された加熱ローラ３１の表面温度に応じて設定された定着温度となるように制御するものである。
【０１１３】
次に、本実施形態に係る原稿読取り装置による原稿Ｇの画像読取り処理についてフローチャートを参照して詳細に説明する。
図５は本実施形態に係る原稿読取り装置による原稿の画像読取り処理工程を示すフローチャートである。
【０１１４】
本実施形態に係る画像形成装置１において、原稿読取り装置４０Ａにより原稿Ｇの画像を読取る場合は、以下のように行なわれる。
原稿読取り装置４０Ａによる原稿Ｇの画像読取りは、図５に示すように、原稿読取りが要求されると（ステップＳ１）、光源である露光ランプ４Ａを点灯し（ステップＳ２）、原稿Ｇが原稿トレイ４１に原稿が載置されたか否かが判断される（ステップＳ３）。
【０１１５】
ステップＳ３において、原稿Ｇが載置されていないと判断された場合は、原稿Ｇの載置を促すメッセージを表示部等に表示する（ステップＳ４）。一方、原稿Ｇが載置されていると判断された場合は、原稿Ｇの読取り条件の入力が完了したか否かが判断される（ステップＳ５）。
【０１１６】
ステップＳ５において、原稿Ｇの読取り条件の入力が完了していないと判断された場合は、原稿Ｇの読取り条件の入力を促すメッセージを表示部等に表示する（ステップＳ６）。一方、原稿Ｇの読取り条件の入力が完了していると判断された場合は、露光ランプ４Ａの光量が最適光量になったか否かが判断される（ステップＳ７）。
【０１１７】
ステップＳ７において、露光ランプ４Ａの光量が最適光量になっていない場合は、最適光量になるまで、判定が繰り返される。一方、露光ランプ４Ａの光量が最適光量になった場合は、第１の走査ユニット４を移動して、第１の原稿読取り部９１及び第２の原稿読取り部９２において白／黒のシェーディング補正を行なう（ステップＳ８）。
【０１１８】
そして、原稿Ｇを搬送して（ステップＳ９）、搬送された原稿Ｇが薄紙原稿であるか否かが原稿厚さ判定機能により判定される（ステップＳ１０）。
【０１１９】
ステップＳ１０において、運転条件設定部７７における原稿Ｇの厚さの設定（ユーザ設定）により、搬送された原稿Ｇが薄紙原稿であると判断された場合は、第１の走査ユニット４からの照射光が第１の原稿読取り部９１を照射するように、第１の走査ユニット４を第１の照射位置４０１に移動して（ステップＳ１１）、原稿読取り処理が行なわれる（ステップＳ１３）。
【０１２０】
一方、搬送された原稿Ｇが薄紙原稿ではないと判断された場合は、第１の走査ユニット４からの照射光が第２の原稿読取り部９２を照射するように、第１の走査ユニット４を第２の照射位置４０２に移動して（ステップＳ１２）、原稿読取り処理が行なわれる（ステップＳ１３）。
【０１２１】
そして、引き続き読取る原稿Ｇが有るか否かが判断され（ステップＳ１４）、引き続き読取る原稿Ｇが有る場合は、ステップＳ９に戻り原稿Ｇが搬送されて、原稿Ｇの画像読み取り工程が実行される。一方、引き続き読取る原稿Ｇがない場合は、原稿読取り装置４０Ａが待機状態となる。
このようにして、原稿Ｇの厚さに応じた原稿読取り処理が自動的に行なわれる。
【０１２２】
以上のように構成したので、本実施形態によれば、原稿読取り装置４０Ａにおいて原稿Ｇを照射する第１の走査ユニット４の照射位置を、第１の原稿読取り部９１を照射する第１の照射位置４０１と、第２の原稿読取り部９２を照射する第２の照射位置４０２との２箇所に設定したので、原稿Ｇの厚さに応じて黒シェーディング補正または白シェーディング補正により裏写りを低減して読取り画像の読取り品位の向上を図り、高品位の画像出力を実現することができる。
【０１２３】
尚、本実施形態では、原稿Ｇが厚い原稿であるか否かをユーザが運転条件設定部７７で選択スイッチ等により選択するようにしているが、本発明は原稿Ｇの判定方法を限定するものではなく、例えば、変形例として図６に示すように、本実施形態における原稿読取り処理における原稿Ｇを判断する工程（ステップＳ１０）の変わりに（図５の２点差線の範囲Ａ）、ビームスポット（図示省略）を原稿搬送路上に配置して、該ビームスポットにより原稿Ｇをピンポイント照射して（ステップＳ１０ａ）、その原稿Ｇに裏写りが生じるか否かを判断する（ステップＳ１０ｂ）ようにしたものであっても良い（図６の２点差線の範囲Ｂ）。
【０１２４】
このように構成することで、ユーザが原稿Ｇを判断して選択することなく自動的に原稿Ｇが裏写りし易い原稿か否かを判断でき、前述した実施形態と同様に顕著な効果を奏し得ることができる。
【０１２５】
また、本実施形態では、原稿Ｇの厚さにより画像の裏写りがし易いか否かを判定するようにしているが、本発明は原稿Ｇの画像の裏写りの判定方法に限定されるものではなく、例えば、原稿の地色、原稿に形成された画像情報の状態（画像情報が片面または両面の何れに形成されているか）等により、それらを検出可能なセンサを用いたり、ユーザ確認により選択する選択スイッチを適宜に設けるようにすることも可能である。
【図面の簡単な説明】
【０１２６】
【図１】本発明の実施形態に係る画像形成装置の全体の構成を示す斜視図である。
【図２】前記画像形成装置の内部の構成を示す側面断面図である。
【図３】本実施形態に係る原稿読取り装置において第１の走査ユニット（反射手段）により原稿に光を照射する照射位置を示す説明図である。
【図４】前記画像形成装置の電気制御部の構成を示すブロック図である。
【図５】前記原稿読取り装置による原稿の画像読取り処理工程を示すフローチャートである。
【図６】本実施形態に係る原稿読取り装置の変形例による原稿の画像読取り処理工程を示すフローチャートである。
【符号の説明】
【０１２７】
１  画像形成装置
２  原稿載置台
３  スキャナ部（画像読取り手段）
４  第１の走査ユニット（反射手段）
４Ａ  露光ランプ（光源）
４Ｂ  リフレクタ
４Ｃ  第１のミラー
５  第２の走査ユニット
５Ａ  第２のミラー
５Ｂ  第３のミラー
６  光学レンズ体
７  光電変換素子
９  原稿読取り台
４０  自動原稿処理装置
４０Ａ  原稿読取り装置
４１  原稿トレイ
７４  オプション構成
７４ａ  制御部
７６  操作スイッチ類
７７  運転条件設定部
９０  原稿押え部材
９１  第１の原稿読取り部
９２  第２の原稿読取り部
９３  原稿厚さ判定機能
４０１  第１の照射位置（照射位置）
４０２  第２の照射位置（照射位置）
Ｇ  原稿
【図１】
2008060867.tif 000003
【図２】
2008060867.tif 000004
【図３】
2008060867.tif 000005
【図４】
2008060867.tif 000006
【図５】
2008060867.tif 000007
【図６】
2008060867.tif 000008